(57)【要約】【課題】再プレイの乗り入れを行う際に、一の口座内で異なる複数の貸出単価の貯玉数を管理することなく、複雑な制御プログラムを不要とし、記憶容量を抑える。【解決手段】貯玉数を遊技者ごとに管理する会員管理装置６０と、一の貸出単価に応じた貯玉を遊技者に付与する再プレイ機９０とを備える遊技用システムＳであって、貯玉数を貸出単価ごとの口座別に記憶する貯玉数記憶手段と、一の貸出単価と異なる他の貸出単価の口座からの貯玉の引き出し要求を受け付ける引出要求受付手段と、他の貸出単価の口座の貯玉数を一の貸出単価に応じた遊技媒体数に換算する貯玉数換算手段と、換算後の貯玉数を貸出単価ごとの口座と別の記憶手段に記憶する換算後貯玉数記憶手段と、換算後貯玉数の中から再プレイ機９０により付与される遊技媒体数に応じた他の貸出単価の遊技媒体数を、他の貸出単価の口座の貯玉数から減算する貯玉数減算手段とを備える構成としてある。【選択図】図１
2018192347.tif 000002
【特許請求の範囲】
【請求項１】
遊技場に設けられた特定遊技媒体払出装置及び特別遊技媒体払出装置を含む複数の遊技媒体払出装置と通信可能であり、前記複数の遊技媒体払出装置に対応付けられていない貸出単価である第１貸出単価が対応付けられた遊技媒体数と、前記特定遊技媒体払出装置に対応付けられている貸出単価である第２貸出単価が対応付けられた遊技媒体数と、を記憶可能な遊技用装置において、
前記第１貸出単価及び前記第２貸出単価とは異なる貸出単価である第３貸出単価が対応付けられた前記特別遊技媒体払出装置において、前記第１貸出単価が対応付けられて記憶されている遊技媒体数を利用して、遊技媒体が払い出される場合、当該第１貸出単価が対応付けられて記憶されている遊技媒体数を減算可能であり、且つ、前記特別遊技媒体払出装置において、前記第２貸出単価が対応付けられて記憶されている遊技媒体数を利用して、遊技媒体が払い出される場合、当該第２貸出単価が対応付けられて記憶されている遊技媒体数を減算可能である減算手段と、
前記第１貸出単価が対応付けられて記憶されている遊技媒体数を前記第３貸出単価に応じた遊技媒体数である換算遊技媒体数に換算可能であり、且つ、前記第２貸出単価が対応付けられて記憶されている遊技媒体数を前記第３貸出単価に応じた遊技媒体数である換算遊技媒体数に換算可能である換算手段と、
を備え、
前記減算手段は、
前記換算手段により、前記第１貸出単価が対応付けられて記憶されている遊技媒体数を前記第３貸出単価に応じた遊技媒体数である換算遊技媒体数に換算されたことに基づいて、当該第１貸出単価が対応付けられて記憶されている遊技媒体数を減算せず、
前記換算手段により、前記第２貸出単価が対応付けられて記憶されている遊技媒体数を前記第３貸出単価に応じた遊技媒体数である換算遊技媒体数に換算されたことに基づいて、当該第２貸出単価が対応付けられて記憶されている遊技媒体数を減算しない
ことを特徴とする遊技用装置。
【請求項２】
前記換算手段により換算された換算遊技媒体数に関する情報を前記特別遊技媒体払出装置に出力可能な出力手段を備える
ことを特徴とする請求項１に記載の遊技用装置。
【請求項３】
前記第２貸出単価が対応付けられて記憶されている遊技媒体数に関する情報を前記特別遊技媒体払出装置に出力可能な出力手段を備え、
前記出力手段は、
前記換算手段により前記第２貸出単価が対応付けられて記憶されている遊技媒体数を前記第３貸出単価に応じた遊技媒体数である換算遊技媒体数に換算された後に、前記第２貸出単価が対応付けられて記憶されている遊技媒体数を前記特別遊技媒体払出装置に出力可能である
ことを特徴とする請求項１に記載の遊技用装置。
【請求項４】
遊技場に設けられた特定遊技媒体払出装置及び特別遊技媒体払出装置を含む複数の遊技媒体払出装置と通信可能であり、前記複数の遊技媒体払出装置に対応付けられていない貸出単価である第１貸出単価が対応付けられた遊技媒体数と、前記特定遊技媒体払出装置に対応付けられている貸出単価である第２貸出単価が対応付けられた遊技媒体数と、を記憶可能な遊技用装置において、
前記第１貸出単価及び前記第２貸出単価とは異なる貸出単価である第３貸出単価が対応付けられた前記特別遊技媒体払出装置において、前記第１貸出単価が対応付けられて記憶されている遊技媒体数を利用して、遊技媒体が払い出される場合、当該第１貸出単価が対応付けられて記憶されている遊技媒体数を減算可能であり、且つ、前記特別遊技媒体払出装置において、前記第２貸出単価が対応付けられて記憶されている遊技媒体数を利用して、遊技媒体が払い出される場合、当該第２貸出単価が対応付けられて記憶されている遊技媒体数を減算可能である減算手段と、
前記第１貸出単価が対応付けられて記憶されている遊技媒体数を前記第３貸出単価に応じた遊技媒体数である換算遊技媒体数に換算可能であり、且つ、前記第２貸出単価が対応付けられて記憶されている遊技媒体数を前記第３貸出単価に応じた遊技媒体数である換算遊技媒体数に換算可能である換算手段と、
前記第１貸出単価が対応付けられて記憶されている遊技媒体数に関する情報である第１情報を前記特別遊技媒体払出装置に出力可能であり、且つ、前記第２貸出単価が対応付けられて記憶されている遊技媒体数に関する情報である第２情報を前記特別遊技媒体払出装置に出力可能である出力手段と、
を備え、
前記減算手段は、
前記出力手段により出力された前記第１情報から特定される遊技媒体数が、前記特別遊技媒体払出装置により前記第３貸出単価に応じた遊技媒体数である換算遊技媒体数に換算されたことに基づいて、前記第１貸出単価が対応付けられて記憶されている遊技媒体数を減算せず、
前記出力手段により出力された前記第２情報から特定される遊技媒体数が、前記特別遊技媒体払出装置により前記第３貸出単価に応じた遊技媒体数である換算遊技媒体数に換算されたことに基づいて、前記第２貸出単価が対応付けられて記憶されている遊技媒体数を減算しない
ことを特徴とする遊技用装置。
【請求項５】
前記換算手段は、
前記第１貸出単価と前記第３貸出単価との最小公倍数の倍数に基づいて、前記第１貸出単価が対応付けられて記憶されている遊技媒体数を前記第３貸出単価に応じた遊技媒体数である換算遊技媒体数に換算可能であり、
前記第２貸出単価と前記第３貸出単価との最小公倍数の倍数に基づいて、前記第２貸出単価が対応付けられて記憶されている遊技媒体数を前記第３貸出単価に応じた遊技媒体数である換算遊技媒体数に換算可能である
ことを特徴とする請求項１〜４の何れか一項に記載の遊技用装置。
【請求項６】
前記遊技用装置は、
会員に関する情報を管理するための会員管理装置である
ことを特徴とする請求項１〜５の何れか一項に記載の遊技用装置。
【請求項７】
遊技場に設けられた特定遊技媒体払出装置及び特別遊技媒体払出装置を含む複数の遊技媒体払出装置と通信可能であり、前記複数の遊技媒体払出装置に対応付けられていない貸出単価である第１貸出単価が対応付けられた遊技媒体数と、前記特定遊技媒体払出装置に対応付けられている貸出単価である第２貸出単価が対応付けられた遊技媒体数と、を記憶可能な遊技用装置を構成するコンピュータを、
前記第１貸出単価及び前記第２貸出単価とは異なる貸出単価である第３貸出単価が対応付けられた前記特別遊技媒体払出装置において、前記第１貸出単価が対応付けられて記憶されている遊技媒体数を利用して、遊技媒体が払い出される場合、当該第１貸出単価が対応付けられて記憶されている遊技媒体数を減算可能であり、且つ、前記特別遊技媒体払出装置において、前記第２貸出単価が対応付けられて記憶されている遊技媒体数を利用して、遊技媒体が払い出される場合、当該第２貸出単価が対応付けられて記憶されている遊技媒体数を減算可能である減算手段、
前記第１貸出単価が対応付けられて記憶されている遊技媒体数を前記第３貸出単価に応じた遊技媒体数である換算遊技媒体数に換算可能であり、且つ、前記第２貸出単価が対応付けられて記憶されている遊技媒体数を前記第３貸出単価に応じた遊技媒体数である換算遊技媒体数に換算可能である換算手段、
として機能させるとともに、
前記減算手段に、
前記換算手段により、前記第１貸出単価が対応付けられて記憶されている遊技媒体数を前記第３貸出単価に応じた遊技媒体数である換算遊技媒体数に換算されたことに基づいて、当該第１貸出単価が対応付けられて記憶されている遊技媒体数を減算させず、
前記換算手段により、前記第２貸出単価が対応付けられて記憶されている遊技媒体数を前記第３貸出単価に応じた遊技媒体数である換算遊技媒体数に換算されたことに基づいて、当該第２貸出単価が対応付けられて記憶されている遊技媒体数を減算させない
ことを特徴とするプログラム。
【請求項８】
遊技場に設けられた特定遊技媒体払出装置及び特別遊技媒体払出装置を含む複数の遊技媒体払出装置と通信可能であり、前記複数の遊技媒体払出装置に対応付けられていない貸出単価である第１貸出単価が対応付けられた遊技媒体数と、前記特定遊技媒体払出装置に対応付けられている貸出単価である第２貸出単価が対応付けられた遊技媒体数と、を記憶可能な遊技用装置を構成するコンピュータを、
前記第１貸出単価及び前記第２貸出単価とは異なる貸出単価である第３貸出単価が対応付けられた前記特別遊技媒体払出装置において、前記第１貸出単価が対応付けられて記憶されている遊技媒体数を利用して、遊技媒体が払い出される場合、当該第１貸出単価が対応付けられて記憶されている遊技媒体数を減算可能であり、且つ、前記特別遊技媒体払出装置において、前記第２貸出単価が対応付けられて記憶されている遊技媒体数を利用して、遊技媒体が払い出される場合、当該第２貸出単価が対応付けられて記憶されている遊技媒体数を減算可能である減算手段、
前記第１貸出単価が対応付けられて記憶されている遊技媒体数を前記第３貸出単価に応じた遊技媒体数である換算遊技媒体数に換算可能であり、且つ、前記第２貸出単価が対応付けられて記憶されている遊技媒体数を前記第３貸出単価に応じた遊技媒体数である換算遊技媒体数に換算可能である換算手段、
前記第１貸出単価が対応付けられて記憶されている遊技媒体数に関する情報である第１情報を前記特別遊技媒体払出装置に出力可能であり、且つ、前記第２貸出単価が対応付けられて記憶されている遊技媒体数に関する情報である第２情報を前記特別遊技媒体払出装置に出力可能である出力手段、
として機能させるとともに、
前記減算手段に、
前記出力手段により出力された前記第１情報から特定される遊技媒体数が、前記特別遊技媒体払出装置により前記第３貸出単価に応じた遊技媒体数である換算遊技媒体数に換算されたことに基づいて、前記第１貸出単価が対応付けられて記憶されている遊技媒体数を減算させず、
前記出力手段により出力された前記第２情報から特定される遊技媒体数が、前記特別遊技媒体払出装置により前記第３貸出単価に応じた遊技媒体数である換算遊技媒体数に換算されたことに基づいて、前記第２貸出単価が対応付けられて記憶されている遊技媒体数を減算させない
ことを特徴とするプログラム。
【発明の詳細な説明】
【技術分野】
【０００１】
本発明は、遊技媒体を付与する遊技用装置及びプログラムに関する。
【背景技術】
【０００２】
一般に、パチンコ機やスロットマシン等の遊技機が設置された遊技場においては、顧客の固定化や集客力を高めるために様々なサービスの提供が行われている。
このような遊技場が提供するサービスのひとつに、遊技者が獲得した遊技媒体を貯遊技媒体（貯玉，貯メダル）として遊技場が預かるとともに、遊技者が再度来場したときに、その貯遊技媒体を引き出し可能として再プレイさせる、いわゆる貯玉再プレイシステムがある。
【０００３】
また、近年では、貸出単価の異なる遊技媒体を遊技者に貸し出すとともに、遊技場内を貸出単価ごとに区分けして遊技機を設置する遊技場が存在する。例えば、遊技場の複数階又は一フロアを二つに区分けし、一の区画では、貸出単価を４円／玉として遊技球を貸し出す４円コーナーとし、他の区画では、貸出単価を２円／玉として遊技球を貸し出す２円コーナーとして設けることにより、手持ちの遊技資金に応じて遊技機を選択できるようにしてある。
このように貸出単価ごとに遊技コーナーを設ける遊技場において、それぞれの遊技コーナーに、貯玉を引き出すための会員用の遊技媒体払出装置を設置する場合がある。この遊技媒体払出装置には、遊技機ごとに設けられるいわゆる台間機や、遊技島の島端等に設けられるいわゆる再プレイ機などがあり、通常、遊技媒体払出装置は、それぞれの遊技コーナー専用に設置され、遊技コーナーごとに予め設定された貸出単価の遊技媒体のみ払い出し可能となっている。
【０００４】
このようなサービスを提供する遊技場において、貯玉再プレイシステムを導入する場合では、遊技者が獲得した遊技媒体を遊技場に預け入れる際に、貸出単価ごとに設けられた口座別に貯遊技媒体を記憶し、管理している。
そして、このように貸出単価ごとの口座別に貯遊技媒体を管理する貯玉再プレイシステムが導入された遊技場においては、遊技者は、ある一の貸出単価の遊技媒体を用いた遊技が許容されている遊技コーナー（遊技機）において、この一の貸出単価と異なる他の貸出単価の口座の貯遊技媒体を引き出して再プレイを行いたいような場合がある。
例えば、遊技者が、２円コーナーに設置された遊技機で遊技する場合、２円口座の貯遊技媒体数が遊技に満たない場合に、４円口座の貯遊技媒体を充当することで再プレイを行いたいような場合である。
すなわち、遊技媒体払出装置において、遊技媒体の払い出しが予め許容されている一の貸出単価と異なる他の貸出単価の遊技媒体を貯遊技媒体から引き出して、再プレイを行う場合である（これを、「再プレイの乗り入れ」という）。
【０００５】
このような、再プレイの乗り入れを実現するための技術として、例えば、特許文献１に開示されているような「遊技媒体払出システム」が提案されている。
特許文献１に記載の技術では、遊技媒体払出装置に予め設定された一の貸出単価とは異なる他の貸出単価に係る口座から貯遊技媒体を引き出す際に、この貯遊技媒体数を、一の貸出単価と同価値となるように一の貸出単価の数量に換算し、換算して得られた遊技媒体数の中から遊技媒体を払い出すようになっている。
【０００６】
例えば、遊技者が遊技場に貸出単価（４円／玉）に係る口座に１００玉を預け入れている場合、２円コーナーに設置された遊技媒体払出装置において、遊技媒体の払い出しが許容される貸出単価（２円／玉）と異なる貸出単価（４円／玉）に係る口座の１００玉を、貸出単価（２円／玉）で換算して得られた遊技媒体数（１００玉×（４円÷２円）＝２００玉）の中から遊技媒体を払い出すようになっている。
【先行技術文献】
【特許文献】
【０００７】
【特許文献１】特開２０１１−８３５０２号公報
【発明の概要】
【発明が解決しようとする課題】
【０００８】
本発明は、複数の貸出単価の遊技媒体数を管理できる遊技用装置及びプログラムの提供を目的とする。
【課題を解決するための手段】
【０００９】
上記目的を達成するため、本発明の遊技用装置は、遊技場に設けられた特定遊技媒体払出装置及び特別遊技媒体払出装置を含む複数の遊技媒体払出装置と通信可能であり、前記複数の遊技媒体払出装置に対応付けられていない貸出単価である第１貸出単価が対応付けられた遊技媒体数と、前記特定遊技媒体払出装置に対応付けられている貸出単価である第２貸出単価が対応付けられた遊技媒体数と、を記憶可能な遊技用装置において、前記第１貸出単価及び前記第２貸出単価とは異なる貸出単価である第３貸出単価が対応付けられた前記特別遊技媒体払出装置において、前記第１貸出単価が対応付けられて記憶されている遊技媒体数を利用して、遊技媒体が払い出される場合、当該第１貸出単価が対応付けられて記憶されている遊技媒体数を減算可能であり、且つ、前記特別遊技媒体払出装置において、前記第２貸出単価が対応付けられて記憶されている遊技媒体数を利用して、遊技媒体が払い出される場合、当該第２貸出単価が対応付けられて記憶されている遊技媒体数を減算可能である減算手段と、前記第１貸出単価が対応付けられて記憶されている遊技媒体数を前記第３貸出単価に応じた遊技媒体数である換算遊技媒体数に換算可能であり、且つ、前記第２貸出単価が対応付けられて記憶されている遊技媒体数を前記第３貸出単価に応じた遊技媒体数である換算遊技媒体数に換算可能である換算手段と、を備え、前記減算手段は、前記換算手段により、前記第１貸出単価が対応付けられて記憶されている遊技媒体数を前記第３貸出単価に応じた遊技媒体数である換算遊技媒体数に換算されたことに基づいて、当該第１貸出単価が対応付けられて記憶されている遊技媒体数を減算せず、前記換算手段により、前記第２貸出単価が対応付けられて記憶されている遊技媒体数を前記第３貸出単価に応じた遊技媒体数である換算遊技媒体数に換算されたことに基づいて、当該第２貸出単価が対応付けられて記憶されている遊技媒体数を減算しない構成としてある。
【図面の簡単な説明】
【００１０】
【図１】本発明の第一実施形態に係る遊技用システムの構成を模式的に示す図である。
【図２】本発明の第一実施形態に係る会員管理装置の内部構成を示すブロック図である。
【図３】本発明の第一実施形態に係る再プレイ機の外観斜視図である。
【図４】本発明の第一実施形態に係る再プレイ機の内部構成を示すブロック図である。
【図５】本発明の第一実施形態に係る再プレイ数選択画面の一例を示す図である。
【図６】本発明の第一実施形態に係る乗り入れ元口座選択画面の一例を示す図である。
【図７】本発明の第一実施形態に係る乗り入れ元口座決定画面の一例を示す図である。
【図８】本発明の第一実施形態に係る乗り入れ時引出単位数選択画面の一例を示す図である。
【図９】本発明の第一実施形態に係る乗り入れ時払出結果画面の一例を示す図である。
【図１０】本発明の第一実施形態に係る再プレイによる貯玉の払い出しに関する処理手順を示す動作手順図である。
【図１１】本発明の第一実施形態に係る再プレイ機で実行される乗り入れ処理を示すフローチャートである。
【図１２】本発明の第二実施形態に係る遊技用システムの構成を模式的に示す図である。
【図１３】本発明の第二実施形態に係る遊技機及び各台計数機の外観図である。
【図１４】本発明の第二実施形態に係る各台計数機の内部構成を示すブロック図である。
【図１５】本発明の第二実施形態に係る各台計数機に表示される再プレイに関する画面の一例を示す図である。
【発明を実施するための形態】
【００１１】
以下、本発明に係る遊技用システム及び遊技媒体付与方法の好ましい実施形態について、図面を参照して説明する。
【００１２】
［第一実施形態］
本発明の遊技用システム及び遊技媒体付与方法の第一実施形態について、図１〜図１１を参照して説明する。
［遊技用システム］
本実施形態に係る遊技用システムＳは、図１に示すように、遊技機１００（パチンコ機１００ａ，スロットマシン１００ｂ）、遊技媒体貸出機２０（玉貸機２０ａ，メダル貸機２０ｂ）、台管理装置３０、島管理装置４０、遊技場管理装置５０、遊技者（会員）が遊技によって獲得した遊技球やメダルを貯遊技媒体（以下、貯玉という）として管理する会員管理装置６０、遊技者が獲得した遊技媒体を計数する計数装置７０（遊技球計数機７０ａ，メダル計数機７０ｂ）、遊技者の獲得した遊技媒体をその数量に応じた景品との交換処理を行う景品交換装置８０、遊技者が所望する数量の遊技媒体を貯玉から払い出す再プレイ機９０（遊技球を払い出す再プレイ機９０ａ，メダルを払い出す再プレイ機９０ｂ）などの遊技場に設置される複数の装置等で構成され、これらの装置は、それぞれ通信手段を備え、所定のネットワーク（例えば、ローカル・エリア・ネットワーク）を介してデータ通信可能に接続されている。
そして、このような構成からなる遊技用システムＳは、遊技者が獲得した遊技媒体を貯玉として会員管理装置６０で管理するとともに、この貯玉を遊技者により再プレイ機９０から引き出し可能とし、遊技機１００において再プレイ可能な貯玉再プレイシステムとして構築されている。
【００１３】
また、遊技用システムＳでは、遊技機１００及び遊技媒体貸出機２０から出力される、アウト信号、セーフ信号、大当り信号、及び貸出信号などの遊技機１００の稼動に係る遊技信号が、台管理装置３０、島管理装置４０などの中継情報処理装置を介して、遊技場管理装置５０に伝送され、遊技場管理装置５０において、遊技機１００ごとの遊技データを集計、管理するようになっている。
【００１４】
また、本実施形態の遊技場では、図１に示すように、例えば、多数のパチンコ機１００ａが設置された遊技場の複数階又は一フロアを二つの区画に分け、一の区画においては、遊技球１個の貸出単価を４円／玉とする４円コーナーとし、他の区画においては、遊技球１個の貸出単価を２円／玉とする２円コーナーとしている。
また、多数のスロットマシン１００ｂが設置された遊技場の複数階又は一フロアを二つの区画に分け、一の区画においては、メダル１枚の貸出単価を２０円／玉とする２０円コーナーとし、他の区画においては、メダル１枚の貸出単価を５円／玉とする５円コーナーとしている。
このように、遊技場では、貸出単価の異なる遊技媒体を遊技者に貸し出すとともに、遊技場内を貸出単価ごとに区分けして遊技機１００を設置しており、遊技機１００は、区分けされた遊技コーナーごとに予め設定された、ある一の貸出単価の遊技媒体を用いて遊技を行うように定められている。
【００１５】
また、本実施形態の遊技場では、それぞれの遊技コーナーに再プレイ機９０が設置されている。再プレイ機９０は、各遊技コーナー専用に設置され、遊技コーナーごとに予め設定された一の貸出単価に係る口座の遊技媒体を払い出すように定められている。
さらに、本実施形態の再プレイ機９０は、遊技媒体の払い出しが許容される一の貸出単価と異なる遊技媒体の払い出しが許容されていない他の貸出単価の口座に記憶された貯玉を、一の貸出単価の貯玉として振り替えて払い出すことで、再プレイの乗り入れを可能としている。
【００１６】
なお、以下の説明では、再プレイ機９０において遊技媒体の払い出しが許容される一の貸出単価を「乗り入れ先貸出単価」とし、この乗り入れ先貸出単価と異なる他の貸出単価を「乗り入れ元貸出単価」とし、この「乗り入れ元貸出単価」のうち遊技者によって再プレイの乗り入れ元として指定された貸出単価を「乗り入れ元指定貸出単価」として、説明する。
以下、本実施形態において特徴的な動作を行う、会員管理装置６０と再プレイ機９０について説明する。
【００１７】
[会員管理装置]
会員管理装置６０は、本発明における管理手段の一例として動作する情報処理装置であって、少なくとも、遊技者が遊技場に予め預け入れた貯玉数を遊技者（会員）ごとに管理する貯玉管理機能と、この貯玉数を乗り入れ元貸出単価の数量（換算後貯玉数）に換算する貯玉換算機能と、再プレイ機９０との間で貯玉に関する情報（貯玉数や換算後貯玉数等）を送受信する通信機能等を備えており、再プレイにより貯玉が引き出されたことで減算された残りの貯玉数を通信機能によって再プレイ機９０から受信し、この受信した貯玉数を、貯玉管理機能によって記憶されている貯玉数に代えて更新するようになっている。
【００１８】
このような各機能を実現すべく、会員管理装置６０は、図２に示すように、再プレイ機９０との間で貯玉に関する情報などを送受信する通信部６１、会員管理装置６０が備える各種機能を実行するためのプログラムや会員に関する情報（会員データベース）、貯玉に関する情報（貯玉データベース）を記憶する記憶部６２、液晶ディスプレイなどで構成され会員に関する情報や貯玉に関する情報等を表示する表示部６３、キーボードやマウスなどで構成され所定のデータや指示などを入力できる入力部６４、ＣＰＵにより構成され会員管理装置６０が備える各種機能を制御する制御部６５、所定の演算処理を行う演算部６６、プリンタなどで構成され所定のデータを出力する出力部６７等を備えており、制御部６５が、これら各部を制御することにより、会員管理装置６０が以下のように動作する。
【００１９】
具体的には、会員管理装置６０は、貯玉管理機能を実行するため、記憶部６２に、例えば会員データベース、貯玉データベース等を記憶している。
会員データベースは、例えば、遊技者（会員）を特定可能な会員ＩＤ、会員本人であるか否かを確認するための暗証番号等の会員に関する項目によって構成されている。
貯玉データベースは、例えば、会員ＩＤ、遊技者が遊技で獲得した遊技媒体のうち遊技場に預け入れた遊技媒体の数量である貯玉数、換算後貯玉数等によって構成されている。
【００２０】
また、会員管理装置６０は、記憶部６２が本発明における貯遊技媒体数記憶手段として動作することで、貯玉データベースにおいて、貯玉数を貸出単価ごとに設けられた口座別に管理する。
例えば、貸出単価（４円／玉）に係る口座にＡ玉、貸出単価（２円／玉）に係る口座にＢ玉、貸出単価（２０円／枚）に係る口座にＣ枚、貸出単価（５円／枚）に係る口座にＤ枚というように、貯玉数が貸出単価ごとの口座別に記憶され、管理されている。
この貯玉数は、再プレイ機９０において、遊技者により貯玉が引き出されると、引き出された遊技媒体数分だけ減算された貯玉数が、再プレイ機９０から送信されることで、更新されるようになっている。
【００２１】
また、会員管理装置６０は、通信機能を実行するため、通信部６１を介して、再プレイ機９０から送信された会員データ（会員ＩＤ、暗証番号等）、再プレイ機９０を特定可能な機体ＩＤ等を受信する。
このとき、会員管理装置６０は、受信した会員ＩＤと暗証番号が、会員データベースの会員ＩＤ及び暗証番号と一致するか否かの認証を行う（会員認証処理）。認証の結果、会員管理装置６０は、一致すると判断した場合には、当該会員ＩＤの貯玉からの引き出しを許容し、通信部６１を介して、記憶部６２に記憶されている貯玉データ（貯玉数、換算後貯玉数等）を再プレイ機９０へ送信する。
【００２２】
また、会員管理装置６０は、貯玉換算機能を実行するため、演算部６６が本発明における貯遊技媒体数換算手段として動作し、再プレイ機９０に予め設定された乗り入れ先貸出単価とは異なる乗り入れ元貸出単価に係る口座に記憶された貯玉数を、乗り入れ先貸出単価で換算したときの、換算後貯玉数（換算後貯遊技媒体数）を算出する（後述の貯玉数換算処理）。
つまり、本実施形態における貯玉数換算処理では、再プレイ機９０において遊技媒体の払い出しが許容されていない乗り入れ元貸出単価の口座の貯玉数を、乗り入れ先貸出単価と同価値となるように換算し、再プレイ機９０において遊技媒体の払い出しが可能な換算後貯玉数として算出するようになっている。
そして、この貯玉数換算処理では、異なる貸出単価間で貯玉数の換算を行う際に、換算により端数が生じないように処理されるようになっている。つまり、乗り入れ元指定貸出単価の口座に記憶されている貯玉数を、乗り入れ先貸出単価で換算したときの、換算後貯玉数が整数となるように処理される。
【００２３】
また、会員管理装置６０は、記憶部６２が本発明における換算後貯遊技媒体数記憶手段として動作することで、上記の貯玉数換算処理によって算出された換算後貯玉数を貸出単価ごとに設けられた各口座と別の所定の記憶領域に記憶する。
例えば、遊技者が２円／玉の遊技コーナーに設置された再プレイ機９０において貯玉を引き出す場合、会員管理装置６０は、再プレイ機９０において遊技媒体の払い出しが許容されている乗り入れ先貸出単価（２円／玉）と異なる貸出単価であって、再プレイ機９０において遊技媒体の払い出しが許容されていない乗り入れ元貸出単価（４円／玉，２．５円／玉，１円／玉等）に対応する各口座それぞれの貯玉数を、乗り入れ先貸出単価（２円／玉）で換算したときの各数値を、換算後貯玉数として記憶する。
このように、換算後貯玉数を、貸出単価ごとに設けられた口座に記憶することなく、例えば、記憶部６２のＲＡＭ領域に記憶することで、一の口座内で異なる複数の貸出単価の貯玉数を二重に管理することがなく、貯玉を管理するための複雑な制御プログラムが不要となり、該口座内の記憶容量を抑えることができる。
次に、本発明の特徴である、「貯玉数換算処理」について具体的に説明する。
【００２４】
［貯玉数換算処理］
会員管理装置６０は、貯玉数換算処理として、乗り入れ先貸出単価と乗り入れ元指定貸出単価との最小公倍数を算出する「最小公倍数算出処理」と、算出した最小公倍数にもとづいて乗り入れ元の口座の貯玉数のうち引き出し可能な貯玉数（公倍数）を算出する「引き出し可能貯玉数算出処理」と、算出した引き出し可能貯玉数を乗り入れ先貸出単価の数量に換算する「貸出単価換算処理」とを実行する。
【００２５】
なお、次の説明では、貸出単価が２．５円／玉の遊技コーナーに設置された再プレイ機９０において、遊技者によって再プレイの乗り入れ元が４円口座に指定された例で説明する。
つまり、乗り入れ元となる４円口座から乗り入れ先となる２．５円口座へ乗り入れる場合を例に挙げて説明する。したがって、乗り入れ元指定貸出単価が「４円／玉」、乗り入れ先貸出単価が「２．５円／玉」となり、乗り入れ元指定貸出単価に係る口座（４円口座）に貯玉数が「１０１玉」記憶されている場合で説明する。
【００２６】
一般に、乗り入れ元貸出単価の口座の貯玉数を、乗り入れ先貸出単価と同価値となるように換算したときの換算後貯玉数を算出するには、以下のような式を用いることができる。
「換算後貯玉数」＝「乗り入れ元口座の貯玉数」×貸出単価比（「乗り入れ元指定貸出単価」÷「乗り入れ先貸出単価」）
ところが、この右辺の数値の組合せよっては、換算後貯玉数が整数とならない場合があり、特に、貸出単価比が整数とならないときには、換算後貯玉数は整数とならない。
そこで、貯玉数換算処理では、以下に示すように、（１）最小公倍数算出処理と（２）引き出し可能貯玉数算出処理によって、「乗り入れ元口座の貯玉数」に一致又は近似する最小公倍数の倍数を求めることで、換算後貯玉数が整数となるように処理するようになっている。
【００２７】
（１）最小公倍数算出処理
乗り入れ先貸出単価と乗り入れ元指定貸出単価との最小公倍数を算出する。
具体的には、「乗り入れ先貸出単価に１００を乗算した数値」と「乗り入れ元指定貸出単価に１００を乗算した数値」の最小公倍数を求め、この最小公倍数を１００で除算した数値（以下、この数値を最小公倍数という）を算出する。
したがって、乗り入れ元指定貸出単価が「４円／玉」、乗り入れ先貸出単価が「２．５円／玉」であることから、最小公倍数は「２０」と算出することができる。
なお、それぞれの貸出単価に「１００」を乗算しているのは、貸出単価の数値を小数第二位まで対応させるためである。
この最小公倍数は、乗り入れ元口座から貯玉を引き出す際の最小単位数であり、乗り入れ先貸出単価に換算したときに、小数点以下の端数を生じさせない数値となっている。
【００２８】
（２）引き出し可能貯玉数算出処理
（１）で算出した最小公倍数にもとづいて、乗り入れ元の口座の貯玉数から引き出し可能な最大の遊技媒体数（引き出し可能貯玉数）を算出する。具体的には、乗り入れ先貸出単価と乗り入れ元指定貸出単価との公倍数（最小公倍数の倍数）であって、乗り入れ元口座の貯玉数に一致又は近似する数値を引き出し可能貯玉数として算出する。
例えば、乗り入れ元口座の貯玉数を最小公倍数で除算することで得られた商を第一の商とし、この第一の商に最小公倍数を乗算し、この乗算により得られた積を引き出し可能貯玉数とする。
具体的な演算式は、
乗り入れ元口座の貯玉数÷最小公倍数＝第一の商＋余り
第一の商×最小公倍数＝引き出し可能貯玉数
とすることができ、例えば、
１０１玉÷２０＝５余り１
２０×５＝１００
によって、引き出し可能貯玉数（公倍数）は「１００玉」と算出できる。
すなわち、引き出し可能貯玉数の「１００玉」は、乗り入れ先貸出単価と乗り入れ元指定貸出単価の双方で割り切れ、双方の貸出単価に換算しても端数が生じることのない数値となる。
【００２９】
また、（２）において、割り切れなかった端数分（余り分）の遊技媒体（１０１玉−１００玉＝１玉）は、再プレイの乗り入れの際に、乗り入れ元の口座から引き出されずに、乗り入れ元の口座に残るようになっている。
これにより、割り切れなかった端数分を、切り上げ又は切り捨てすることなく、口座に残すため、遊技場側又は遊技者が、この端数分の貯玉を損することがなくなる。
【００３０】
（３）貸出単価換算処理
（２）で算出した引き出し可能貯玉数を、乗り入れ先貸出単価の数量に換算する。
具体的な演算式は、
引き出し可能貯玉数×貸出単価比（乗り入れ元指定貸出単価÷乗り入れ先貸出単価）
とすることができ、例えば、
１００玉×（４円／玉÷２．５円／玉）＝１６０玉
によって、換算後貯玉数は「１６０玉」と算出することができる。
このように、乗り入れ元の口座から引き出す貯玉数を調整することで、異なる貸出単価間における貯玉数の換算を、端数が生じることなく行うことができる。
【００３１】
［再プレイ機］
再プレイ機９０は、本発明における貯遊技媒体付与手段の一例として動作する情報処理装置であって、少なくとも、会員管理装置６０との間で貯玉に関する情報（貯玉数，換算後貯玉数等）を送受信する通信機能と、再プレイに関する各画面を遊技者に選択可能に表示する表示機能と、貯玉の範囲内において遊技者に遊技媒体を払い出す貯玉払出機能（再プレイ機能）と、再プレイにより払い出した遊技媒体数分を貯玉数から減算する貯玉減算機能と、遊技者による一回の再プレイの引き出し要求によって貯玉から引き出す遊技媒体数（引出単位数）を補正する引出単位数補正機能等を備えた装置である。
【００３２】
このような再プレイ機９０は、本実施形態では、４円コーナー，２円コーナーの所定の箇所（例えば、遊技機島の島端）に設置され、遊技球を払い出す再プレイ機９０ａと、２０円コーナー，５円コーナーの所定の箇所（例えば、遊技機島の島端）に設置され、メダルを払い出す再プレイ機９０ｂとがあり、以下のような構成を備えている。
【００３３】
上記のような各機能を実現すべく、再プレイ機９０は、図３に示すように、所定のカード（例えば、会員カード）を挿入／返却可能なカード挿入口９１、遊技媒体を払い出す遊技媒体払出口９２、所定の表示及び入力が可能なタッチパネル部９３を外部に備えている。
また、再プレイ機９０は、図４に示すように、会員管理装置６０等との間で所定の情報を送受信する通信部９４、再プレイ機９０が備える各種機能を実行するためのプログラムやデータを記憶する記憶部９５、カード挿入口９１に挿入されたカードから会員ＩＤを読み取る読取部９６、遊技媒体を払い出す払出部９７、ＣＰＵにより構成され再プレイ機９０が備える各種機能を制御する制御部９８、所定の演算処理を実行する演算部９９を内部に備えており、制御部９８が、これら各部を制御することにより、以下のような特徴的な動作を行う。
【００３４】
具体的には、再プレイ機９０は、通信機能を実行するため、通信部９４を介して、再プレイ機９０から送信された貯玉データ（貯玉数、換算貯玉数等）などを受信する。
そして、再プレイ機９０は、受信した貯玉データ（貯玉数、換算貯玉数）を記憶部９５に記憶する。この貯玉数は、貸出単価ごとに設けられた口座別に記憶され、例えば、４円／玉はＡ玉、２円／玉はＢ玉、２０円／枚はＣ枚、５円／枚はＤ枚等というように記憶される。換算後貯玉数は、例えば、２円用の再プレイ機９０ａの場合には、４円口座，２．５円口座，１円口座等のそれぞれの貯玉数を２円／玉で換算した、換算後の貯玉数が記憶される。
また、再プレイ機９０は、通信部９４を介して、会員データ（会員ＩＤ、暗証番号等）や機体ＩＤ等を会員管理装置６０へ送信する。
【００３５】
再プレイ機９０は、表示機能を実行するため、タッチパネル部９３に、画像，テキスト，テンキーなどの各種操作キー等を表示するとともに、指やタッチペンで画面上の表示に触れることにより入力（選択操作、通信操作等）を受け付ける。
例えば、再プレイ機９０は、タッチパネル部９３に再プレイに関する各画面を表示する。
具体的には、再プレイを行う際に貯玉から引き出す数量を選択可能な「再プレイ数選択画面」（図５参照）、再プレイの乗り入れを行う際の乗り入れ元となる口座を指定可能な「乗り入れ元口座選択画面」（図６参照）、「乗り入れ元口座選択画面」において選択された結果を表示する「乗り入れ元口座決定画面」（図７参照）、再プレイの乗り入れを行う際に貯玉から引き出す数量を選択可能な「乗り入れ時引出単位数選択画面」（図８参照）、再プレイの乗り入れによって貯玉の払い出し結果を表示する「乗り入れ時払出結果画面」（図９参照）等を表示する。なお、これらの画面の具体的な表示態様については後述する。
【００３６】
再プレイ機９０は、貯玉払出機能を実行するため、タッチパネル部９３に表示される再プレイに関する各画面から、遊技者により選択操作（乗り入れ操作，引き出し操作等）を受け付け、この選択操作に応じて払出部９７が貯玉を払い出す。
具体的には、再プレイ機９０は、遊技者により乗り入れ操作がされずに、引き出し操作がされた場合には、遊技コーナーごとに使用が許容されている乗り入れ先貸出単価の口座の貯玉から遊技媒体を払い出す。
一方、再プレイ機９０は、遊技者により乗り入れ操作がされた後に、引き出し操作がされた場合には、遊技コーナーごとに使用が許容されていない乗り入れ元貸出単価の口座の貯玉を、遊技コーナーごとに使用が許容されている乗り入れ先貸出単価の貯玉として振り替えて遊技媒体を払い出すようになっている。
【００３７】
また、再プレイ機９０は、所定の単位数ごとに貯玉を払い出すようになっており、例えば、記憶部９５に、遊技者による一回の引き出し要求によって貯玉から引き出す遊技媒体数を示す引出単位数を記憶している。
引出単位数は、例えば、「再プレイ数選択画面（図５参照）」、「乗り入れ時引出単位数選択画面（図８参照）」における再プレイ数ボタンに表示され、再プレイ数ボタンが遊技者により選択されると、表示されている引出単位数の遊技媒体が払い出されるようになっている。
例えば、引出単位数は、図５に示すように、再プレイ数ボタンに「１２５」、「２５０」、「５００」、「１０００」のように表示される。なお、引出単位数は、これらの数値に限るものではなく、任意の数値とすることができ、再プレイ機９０ごと又は貸出単価ごとに設定してもよい。
また、引出単位数は、例えば、遊技場管理装置５０で記憶、管理することで、遊技場ごと又は再プレイ機９０ごとに、引出単位数を設定するようにしてもよい。この場合、再プレイ機９０は、所定のタイミングで遊技場管理装置５０から引出単位数を受信する構成としてもよい。
【００３８】
また、再プレイ機９０は、貯玉減算機能を実行するため、演算部９９が本発明における貯遊技媒体数減算手段として動作し、上記の貯玉払出機能により払い出した遊技媒体数分を記憶部９５の貯玉数から減算する（貯玉数減算処理）。
具体的には、再プレイ機９０は、「再プレイ数選択画面」（図５）において、遊技者により乗り入れ操作がされずに、引き出し操作（再プレイ数ボタンの選択）がされた場合には、選択された再プレイ数ボタンに対応する引出単位数を、乗り入れ先貸出単価に係る口座の貯玉数から減算する。
つまり、再プレイの乗り入れを行わない際には、乗り入れ先口座の貯玉数から引出単位数分が減算される。
【００３９】
一方、再プレイ機９０は、「再プレイ数選択画面」（図５）において、遊技者により乗り入れ操作がされ、さらに、「乗り入れ時引出単位数選択画面」（図８）において、引き出し操作（再プレイ数ボタンの選択）がされた場合には、選択された再プレイ数ボタンに対応する引出単位数を、乗り入れ元指定貸出単価で換算した遊技媒体数（以下、引出貯玉数という）を算出し、この算出した引出貯玉数を、乗り入れ元指定貸出単価に係る口座の貯玉数から減算する。
つまり、再プレイの乗り入れを行う際には、遊技者により選択された引出単位数を乗り入れ元指定貸出単価で換算した遊技媒体数（引出貯玉数）が、乗り入れ元指定貸出単価に係る口座の貯玉数から減算されるようになっている。
このように再プレイによって引き出された遊技媒体数分を減算した貸出単価ごとの貯玉数は、通信部９４を介して会員管理装置６０へ送信される。
【００４０】
このように再プレイの乗り入れの際に、異なる貸出単価間において遊技媒体数（引出単位数）の換算を行うような場合には、換算時に割り切れずに端数が生じる場合がある。
例えば、２円／玉の遊技コーナーに設置された再プレイ機９０において、遊技者により４円口座からの乗り入れが指定され、さらに、引出単位数として「１２５玉」が選択された場合では、この引出単位数「１２５玉」を、乗り入れ元指定貸出単価の「４円／玉」で換算して得た引出貯玉数は６２．５玉となり、０．５玉の端数が生じてしまう。この場合、端数分を切り上げ又は切り捨てすると、遊技場側又は遊技者が損をすることになる。
【００４１】
そこで、本実施形態では、再プレイ機９０の演算部９９が引出単位数補正機能を実行するようになっている。
具体的には、遊技者により選択された引出単位数を、乗り入れ元指定貸出単価で換算したときに整数となるような数値を求め、この数値を新たな引出単位数とすることで、引出単位数を補正するようになっている（後述の引出単位数補正処理）。
【００４２】
また、再プレイ機９０では、遊技者に対して再プレイの乗り入れのサービスを許可するか否かを設定することができる。
具体的には、再プレイ機９０は、記憶部９５に、再プレイ機９０において再プレイの乗り入れの許可又は禁止を管理するための乗り入れフラグを記憶している。例えば、再プレイの乗り入れを禁止する場合には乗り入れフラグに「１」を、再プレイの乗り入れを許可する場合には乗り入れフラグに「０」を記憶する。
【００４３】
乗り入れフラグは、再プレイ機９０における全ての乗り入れ元貸出単価に対して設定してもよく、あるいは、それぞれの乗り入れ元貸出単価に対して個別に設定してもよい。このように、再プレイ機９０において遊技媒体の払い出しが予め許容されていない貸出単価（乗り入れ元貸出単価）の口座に記憶されている貯玉からの払い出しを、再プレイ機９０単位に遊技場の従業員によって任意に設定することができる。
なお、乗り入れフラグは、例えば、遊技場管理装置５０で記憶、管理してもよい。この場合、例えば、上記のように再プレイ機９０単位で乗り入れフラグを管理してもよく、あるいは、遊技場単位、すなわち、全ての再プレイ機９０に対して一括に乗り入れフラグを設定し、管理するようにしてもよい。これらの場合には、再プレイ機９０は、所定のタイミングで遊技場管理装置５０から乗り入れフラグを受信する構成としてもよい。
【００４４】
なお、本実施形態の再プレイ機９０は、カード挿入口９１に挿入された会員カードから会員ＩＤなどを読み取るようにしているが、これに限らず、読取部９６で読み取り可能なカードは、会員データ（会員ＩＤなど）を読み取り可能な記憶媒体であれば、どのような構成のカードであってもよい。また、読取部９６で読み取り可能な記憶媒体は、カードに限らず、例えば、ＩＣコインやバーコードが表示されたチケットでもよく、あるいは、携帯端末に表示されるＱＲコード（登録商標）を読み取り可能な構成としてもよい。これらの場合には、カード挿入口９１に代えて、ＩＣコインを投入可能な投入口を設けてもよく、バーコードやＱＲコード（登録商標）を読取可能な読取部としてもよい。
次に、「引出単位数補正処理」について具体的に説明する。
【００４５】
［引出単位数補正処理］
再プレイ機９０は、演算部９９が引出単位数補正手段として動作することで、引出単位数を乗り入れ元指定貸出単価で換算した遊技媒体数（引出貯玉数）が整数となるような数値を算出し、この数値を新たな引出単位数とすることで、引出単位数を補正する。
具体的には、再プレイ機９０は、引出単位数補正処理として、会員管理装置６０における貯玉数換算処理と同様の「最小公倍数算出処理」と、算出した最小公倍数にもとづいて遊技者により選択された引出単位数のうち引き出し可能な最大の遊技媒体数を算出する「引き出し可能単位数算出処理」とを実行する。
【００４６】
なお、次の説明では、貸出単価が２円／玉の遊技コーナーに設置された再プレイ機９０において、遊技者により再プレイの乗り入れ元が、４円口座に指定された例で説明する。したがって、４円口座から２円口座に乗り入れる場合であり、乗り入れ元指定貸出単価が「４円／玉」、乗り入れ先貸出単価が「２円／玉」となる。
また、遊技者により選択された引出単位数が「１２５玉」の場合で説明する。
【００４７】
一般的に、遊技者により選択された引出単位数を、乗り入れ先貸出単価と同価値となるように換算したときの引出貯玉数を算出するには、以下のような式を用いることができる。
「引出貯玉数」＝「引出単位数」×貸出単価比（「乗り入れ先貸出単価」÷「乗り入れ元指定貸出単価」）
ところが、この右辺の数値の組合せよっては、引出貯玉数が整数とならない場合があり、特に、貸出単価比が整数とならないときには、引出貯玉数は整数とならない。
そこで、引出単位数補正処理では、以下に示すように、（１）最小公倍数算出処理と（２）引き出し可能単位数算出処理によって、「引出単位数」に一致又は近似する最小公倍数の倍数を求めることで、引出貯玉数が整数となるように処理するようになっている。
【００４８】
（１）最小公倍数算出処理
具体的には、「乗り入れ元指定貸出単価に１００を乗算した数値」と「乗り入れ先貸出単価に１００を乗算した数値」の最小公倍数を求め、この最小公倍数を１００で除算した数値を算出する。
したがって、乗り入れ元指定貸出単価が「４円／玉」、乗り入れ先貸出単価が「２円／玉」であることから、最小公倍数は「４」と算出することができる。
この最小公倍数は、乗り入れ元口座から貯玉を引き出す際の最小単位数であり、乗り入れ先貸出単価に換算したときに、小数点以下の端数を生じさせない数値となっている。
【００４９】
（２）引き出し可能単位数算出処理
（１）で算出した最小公倍数にもとづいて、引出単位数のうち引き出し可能な最大の数値（新たな引出単位数）を算出する。具体的には、乗り入れ先貸出単価と乗り入れ元指定貸出単価との公倍数（最小公倍数の倍数）であって、引出単位数に一致又は近似する数値を新たな引出単位数として算出する。
例えば、引出単位数を最小公倍数で除算することで得られた商を第一の商とし、この第一の商に最小公倍数を乗算し、この乗算により得られた積を新たな引出単位数とする。
具体的な演算式は、
引出単位数÷最小公倍数＝第一の商＋余り
第一の商×最小公倍数＝新たな引出単位数
とすることができ、例えば、
１２５÷４＝３１余り１
４×３１＝１２４
によって、新たな引出単位数は「１２４玉」と算出できる。
そして、この新たな引出単位数を、記憶部９５に記憶されている引出単位数に代えて更新する。
すなわち、新たな引出単位数の「１２４玉」は、乗り入れ先貸出単価と乗り入れ元指定貸出単価の双方で割り切れ、双方の貸出単価に換算しても端数が生じることのない数値となる。
【００５０】
また、（２）の演算において、割り切れなかった余り分の遊技媒体（１２５玉−１２４玉＝１玉）は、再プレイの乗り入れの際に、乗り入れ先の口座から引き出されずに、乗り入れ先の口座に残るようになっている。
【００５１】
次に、タッチパネル部９３が表示する各画面の表示態様について、図５〜図９を参照して説明する。
なお、次の各画面の説明では、２円用の再プレイ機９０ａを用いているものとし、遊技者から乗り入れ元口座として４円口座が指定されたものとして説明する。
【００５２】
図５に示す「再プレイ数選択画面」は、再プレイ機９０（タッチパネル部９３）における初期画面として表示されるようになっており、再プレイ機９０において遊技媒体の払い出しが許容されている乗り入れ先貸出単価に係る口座の貯玉数、再プレイ数ボタン、乗り入れボタン、所定のメッセージ（操作案内など）等が表示される。
再プレイ数ボタンは、記憶部９５に記憶される引出単位数が表示され、遊技者により選択されると、この引出単位数分の遊技媒体が貯玉から払い出されるようになっている。
【００５３】
「再プレイ数選択画面」では、乗り入れ先貸出単価に係る口座の貯玉数に応じて選択可能なボタンが異なるようになっている。この例では、網掛けのボタンが選択不能なボタンであり、網掛けがされていないボタンが選択可能なボタンとなっている。
例えば、図５（ａ）に示すように、２円口座の貯玉数（１００玉）が、最小の引出単位数（１２５玉）より少ない場合は、「再プレイ数選択画面」では、全部ボタンと乗り入れボタンが選択できるが、引出単位数が表示されている再プレイ数ボタンは選択できないようになっている。
また、図５（ｂ）に示すように、２円口座の貯玉数が、０玉の場合は、「再プレイ数選択画面」では、乗り入れボタンのみが選択でき、それ以外のボタンは選択できないようになっている。
さらに、図５（ｃ）に示すように、２円口座の貯玉数（１００００玉）が、最大の引出単位数（１０００玉）より多い場合は、「再プレイ数選択画面」では、再プレイ数ボタンが選択できるが、それ以外のボタンは選択できないようになっている。
【００５４】
図６に示す「乗り入れ元口座選択画面」は、「再プレイ数選択画面」において遊技者により乗り入れボタンが選択されると表示されるようになっており、遊技者に対して乗り入れ元口座を指定可能に表示する。
例えば、遊技場で予め設定されている貸出単価ごとに、それぞれの貸出単価の口座に記憶されている貯玉数、この貯玉数を乗り入れ先貸出単価で換算した換算後貯玉数、所定のメッセージ（操作案内など）等が表示される。
具体的には、貸出単価（４円／玉（４パチ）、１円／玉（１パチ）、０．５円／玉（０．５パチ））の口座の貯玉数と、この貯玉数を乗り入れ先貸出単価（２円／玉）で換算した換算後貯玉数と、操作案内等が表示される。
このように、乗り入れ先貸出単価とは異なる各貸出単価の口座に記憶されている貯玉数と、貯玉数を乗り入れ先貸出単価で換算した換算後貯玉数を一覧で表示することによって、遊技者は、現在預け入れている各貸出単価の口座の貯玉数と、各貸出単価の口座から乗り入れを行った際に払い出しが可能な遊技媒体数を一目で確認することができる。さらに、ある貸出単価の口座に貯玉が存在することを遊技者が忘れているような場合であっても、その存在を改めて遊技者に認識させることもできる。
【００５５】
すなわち、再プレイ機９０は、タッチパネル部９３が本発明における引出要求受付手段として動作することで、再プレイ機９０に予め設定された乗り入れ先貸出単価とは異なる乗り入れ元貸出単価に係る口座からの貯玉の引き出し要求を、遊技者の操作により受け付ける。
つまり、タッチパネル部９３は、再プレイの乗り入れの際に、乗り入れ元となる口座を遊技者から指定可能に表示するようになっている。
【００５６】
また、再プレイ機９０は、タッチパネル部９３が本発明における表示手段として動作することで、遊技場において遊技の使用に許容されない貸出単価が存在し、この貸出単価の口座に貯玉数が記憶されている場合には、この口座の貯玉を優先的に使用させるように、この貸出単価の口座の貯玉数などの表示態様を、遊技場において遊技の使用が許容されている貸出単価の口座の貯玉数などの表示態様と異なる態様で表示させる。
【００５７】
例えば、図６（ｂ）に示すように、「乗り入れ元口座選択画面」では、遊技場において０．５円コーナーが撤去されたことで、遊技の使用に許容されない貸出単価（０．５円／玉）が存在し、かつ、遊技者（会員）の０．５円口座に貯玉数が記憶されている場合には、この０．５円口座における貸出単価（０．５円／玉）、貯玉数（５０００玉）、換算後貯玉数（１２５０玉）の表示態様が、遊技の使用が許容されている４円口座や２円口座の表示と異なる表示態様（例えば、網掛け，異なる色）で表示される。
【００５８】
このように、遊技に使用できない貸出単価の口座に貯玉がある場合には、該貯玉を再プレイの乗り入れによって優先して使用させるため、遊技に使用できる貸出単価と表示態様を異なるように表示する。これによって、遊技者に、遊技に使用できない貸出単価の口座に貯玉が存在することを認識させることができ、さらに、優先してこの貯玉を使用させることを促すことができる。
【００５９】
図７に示す「乗り入れ元口座決定画面」は、「乗り入れ元口座選択画面」において、遊技者により乗り入れ元の口座が指定されると、表示されるようになっている。
例えば、「乗り入れ元口座選択画面」において、遊技者により乗り入れ元として４円口座が指定された場合には、指定された４円口座の貯玉数（１００００玉）、この４円口座の貯玉数が乗り入れ先貸出単価（２円／玉）で換算された換算後貯玉数（２００００玉）、乗り入れを決定するための決定ボタン（はい，いいえ）、所定のメッセージ（操作案内など）等が表示される。
このように、乗り入れを行う口座が指定された後に確認画面を表示し、再度、乗り入れの確認を遊技者に行わせることによって、例えば、遊技者が乗り入れ元の口座の指定を誤ったような場合などの誤操作を防止することができる。
【００６０】
図８に示す「乗り入れ時引出単位数選択画面」は、「乗り入れ元口座決定画面」において、決定ボタン（はい）が選択されると表示されるようになっている。
例えば、４円口座から２円口座に乗り入れた際の換算数（換算後貯玉数（２００００玉））と、引出単位数が表示された再プレイ数ボタンと、操作案内等が表示される。
つまり、「乗り入れ時引出単位数選択画面」では、乗り入れ元の４円口座の貯玉数（１００００玉）を、乗り入れ先の貸出単価（２円／玉）と同価値となるように換算した換算後貯玉数（２００００玉）から、再プレイにより引き出す遊技媒体数（引出単位数）が選択可能に表示される。
【００６１】
また、「乗り入れ時引出単位数選択画面」の再プレイ数ボタンに表示される引出単位数は、上述したように、自動的に数値が補正されて表示されるようになっている。
例えば、引出単位数の「１２５玉」は、再プレイの乗り入れの際に、異なる貸出単価双方で割り切れる数値である「１２４玉」に補正され、この補正された「１２４玉」が、図８に示すように、再プレイ数ボタンに表示される。
【００６２】
図９に示す「乗り入れ時払出結果画面」は、「乗り入れ時引出単位数選択画面」において、再プレイ数ボタンが選択されると表示されるようになっている。
例えば、「乗り入れ時引出単位数選択画面」において選択された引出単位数、引出貯玉数、この引出貯玉数を乗り入れ元指定貸出単価に係る口座の貯玉数から減算して残った貯玉数等が表示される。
具体的には、「乗り入れ時引出単位数選択画面」において「１２４玉」が遊技者から選択された場合には、この引出単位数の「１２４玉」と、１２４玉を乗り入れ元指定貸出単価（４円／玉）で換算した「６２玉」と、この６２玉を４円口座に記憶された貯玉数（１００００玉）から減算した残りの貯玉数の「９９３８玉」と、操作案内等が表示される。
【００６３】
すなわち、再プレイ機９０は、タッチパネル部９３に、遊技者に実際に払い出される遊技媒体数と、乗り入れ元の口座の貯玉から引き出した遊技媒体数と、乗り入れ元の口座に残る貯玉数と、を少なくとも表示する。
このように、再プレイの乗り入れを行った際に、実際に払い出される遊技媒体数と、乗り入れ元の貯玉の使用数と、乗り入れ元の貯玉の残数とを、同時に表示することによって、遊技者は、再プレイの乗り入れによる貯玉の払い出しの状況を一目で認識できる。
【００６４】
このように構成された遊技用システムＳにおいて、遊技者が再プレイにより貯玉を引き出す際の、再プレイ機９０と会員管理装置６０間における貯玉に関する情報のやり取りを示す貯玉の払出処理（遊技媒体付与方法）について説明する。
【００６５】
［遊技媒体付与方法］
図１０は、本実施形態に係る再プレイによる貯玉の払い出しに関する処理手順を示す動作手順図である。
図１１は、本実施形態に係る再プレイ機で実行される乗り入れ処理を示すフローチャートである。
【００６６】
図１０に示すように、まず、再プレイ機９０は、カード挿入口９１に会員カードが挿入されたか否かを判定する（Ｓ１０）。再プレイ機９０は、会員カードが挿入されるまで待機し（Ｓ１０：ＮＯ）、会員カードが挿入されたと判定した場合には（Ｓ１０：ＹＥＳ）、読取部９６により会員ＩＤなどを読み取り、記憶部９５に記憶する。
また、再プレイ機９０は、タッチパネル部９３において暗証番号の入力がされたか否かを判定する（Ｓ１１）。再プレイ機９０は、タッチパネル部９３から暗証番号の入力がされるまで待機し（Ｓ１１：ＮＯ）、暗証番号の入力がされたと判定した場合には（Ｓ１１：ＹＥＳ）、入力された暗証番号を記憶部９５に記憶する。
次いで、再プレイ機９０は、通信部９４を介して会員データ（会員ＩＤ、暗証番号等）と自身の機体ＩＤを会員管理装置６０へ送信する（Ｓ１２）。
【００６７】
会員管理装置６０は、通信部６１を介して会員データ（会員ＩＤ、暗証番号等）と機体ＩＤを受信する（Ｓ１３）。
会員管理装置６０は、受信した会員ＩＤと暗証番号を、会員データベースの会員ＩＤ及び暗証番号と照会し、その会員ＩＤ及び暗証番号と一致するか否かの認証を行う（Ｓ１４）。認証の結果、会員管理装置６０は、一致すると判断した場合には（Ｓ１４：ＹＥＳ）、当該会員ＩＤに対応する貯玉の引き出し（再プレイ）を許可する。
一方、認証の結果、会員管理装置６０は、一致しないと判断した場合には（Ｓ１４：ＮＯ）、Ｓ１１へ処理を移行して、暗証番号を再入力させる。
【００６８】
また、会員管理装置６０は、受信した機体ＩＤにもとづいて、送信してきた再プレイ機９０を特定するとともに、再プレイ機９０で予め設定される乗り入れ先貸出単価を特定する。
具体的には、会員管理装置６０は、例えば遊技場管理装置５０に記憶されている機体データベースから、該機体ＩＤに対応する再プレイ機９０及びこの再プレイ機９０で予め設定される乗り入れ先貸出単価を取得する。
【００６９】
次いで、会員管理装置６０は、貯玉数換算処理を行なう（Ｓ１５）。
具体的には、会員管理装置６０は、特定した乗り入れ先貸出単価と異なる乗り入れ元貸出単価に係る口座に記憶されている貯玉数を、乗り入れ先貸出単価で換算する。
この換算によって得た換算後貯玉数は、記憶部６２の貸出単価ごとに設けられた口座に記憶することなく、例えば、記憶部６２のＲＡＭ領域に記憶される。
次いで、会員管理装置６０は、貸出単価ごとに設けられた口座別の貯玉数と換算後貯玉数を、記憶部６２から読み取り、再プレイ機９０へ送信する（Ｓ１６）。
【００７０】
再プレイ機９０は、通信部９４を介して貸出単価ごとに設けられた各口座の貯玉数と換算後貯玉数を受信し（Ｓ１７）、記憶部９５に記憶する。
次いで、再プレイ機９０は、図５に示す「再プレイ数選択画面」をタッチパネル部９３に表示し（Ｓ１８）、「再プレイ数選択画面」において、遊技者から乗り入れ操作（乗り入れボタンの選択）がされたか否かを判定する（Ｓ１９）。
遊技者により乗り入れ操作（乗り入れボタンの選択）がされない場合には（Ｓ１９：ＮＯ）、さらに、タッチパネル部９３において、遊技者により引き出し操作（再プレイ数ボタン又は全部ボタンの選択）がされたか否かを判定する（Ｓ２０）。
再プレイ機９０は、遊技者により引き出し操作がされたと判定し（Ｓ２０：ＹＥＳ）、このとき、再プレイ数ボタンが選択操作されたと判定した場合には、選択された再プレイ数ボタンに表示されている引出単位数分の遊技媒体を払い出す。一方、全部ボタンが選択操作されたと判定した場合には、乗り入れ先貸出単価に係る口座の貯玉数の全てを払い出す。
【００７１】
次いで、再プレイ機９０は、貯玉数減算処理を行なう（Ｓ２１）。
具体的には、再プレイ機９０は、遊技者により選択された引出単位数分を乗り入れ先貸出単価に係る口座の貯玉数から減算し、この減算後の残りの貯玉数を記憶部９５に更新して記憶する。
Ｓ１９において、遊技者により乗り入れ操作（乗り入れボタンの選択）がされた場合には（Ｓ１９：ＹＥＳ）、再プレイ機９０は、乗り入れ処理を行う（Ｓ２２）。なお、乗り入れ処理の動作については後述する。
【００７２】
次いで、再プレイ機９０は、遊技者により所定の終了操作（取消ボタンの選択操作、会員カードの排出操作等）がされたか否かを判定する（Ｓ２３）。
再プレイ機９０は、遊技者により終了操作がされていないと判定した場合（Ｓ２３：ＮＯ）、Ｓ１９へ処理を移行して、再プレイ処理を続ける。一方、再プレイ機９０は、遊技者から終了操作がされたと判定した場合には（Ｓ２３：ＹＥＳ）、記憶部９５に記憶されている貸出単価ごとの口座別の貯玉数を、会員管理装置６０へ送信するとともに（Ｓ２４）、会員カードを排出して（Ｓ２５）、再プレイ機９０が実行する一連の処理を終了する。
会員管理装置６０は、通信部６１を介して、貯玉が引き出されたことで減算された残りの貯玉数を再プレイ機９０から受信し（Ｓ２６）、この受信した貯玉数を、記憶部６２の貸出単価ごとに設けられた口座の貯玉数に代えて更新する（Ｓ２７）。
【００７３】
次に、上述した再プレイによる貯玉の払い出し処理における、乗り入れ処理（Ｓ２２）について、図１１を参照して説明する。
まず、再プレイ機９０は、図５に示す「再プレイ数選択画面」において、遊技者により乗り入れボタンが選択されると、図６に示す「乗り入れ元口座選択画面」をタッチパネル部９３に表示する（Ｓ３０）。
再プレイ機９０は、「乗り入れ元口座選択画面」において、遊技者により乗り入れ元の口座が指定されたか否かを判定する（Ｓ３１）。
再プレイ機９０は、遊技者により乗り入れ元の口座が指定されたと判定した場合には（Ｓ３１：ＹＥＳ）、図７に示す「乗り入れ元口座決定画面」をタッチパネル部９３に表示する（Ｓ３２）。
【００７４】
再プレイ機９０は、「乗り入れ元口座決定画面」において、遊技者により決定ボタン（はい）が選択されたか否かを判定する（Ｓ３３）。
再プレイ機９０は、遊技者により決定ボタン（いいえ）が選択されたと判定した場合には（Ｓ３３：ＮＯ）、Ｓ３０へ処理を移行して、「乗り入れ元口座選択画面」の表示を行う。一方、再プレイ機９０は、遊技者により決定ボタン（はい）が選択されたと判定した場合には（Ｓ３３：ＹＥＳ）、さらに、引出単位数の補正が必要か否かを判定する（Ｓ３４）。
つまり、Ｓ３４では、再プレイ機９０は、記憶部９５に予め記憶されている引出単位数（例えば、「１２５」、「２５０」、「５００」、「１０００」）を、乗り入れ元指定貸出単価で換算した際に、割り切れずに端数が生じるか否かを判定する。
【００７５】
再プレイ機９０は、端数が生じないと判定し、引出単位数の補正が必要ではないと判定した場合には（Ｓ３４：ＮＯ）、図８に示す「乗り入れ時引出単位数選択画面」をタッチパネル部９３に表示する（Ｓ３５）。
一方、再プレイ機９０は、端数が生じると判定し、引出単位数の補正が必要であると判定した場合には（Ｓ３４：ＹＥＳ）、上記の引出単位数補正処理を実行させ、引出単位数の補正を行う（Ｓ３５）。次いで、再プレイ機９０は、「乗り入れ時引出単位数選択画面」を表示する（Ｓ３６）。このとき、「乗り入れ時引出単位数選択画面」の再プレイ数ボタンに表示される引出単位数は、補正後の引出単位数が表示される。
【００７６】
次いで、再プレイ機９０は、遊技者により引き出し操作（再プレイ数ボタン又は全部ボタンの選択）がされたか否かを判定する（Ｓ３７）。
再プレイ機９０は、遊技者により引き出し操作がされたと判定し（Ｓ３７：ＹＥＳ）、このとき、再プレイ数ボタンが選択操作されたと判定した場合には、選択された再プレイ数ボタンに表示されている引出単位数分の遊技媒体を払い出す。一方、全部ボタンが選択操作されたと判定した場合には、乗り入れ先貸出単価に係る口座の貯玉数の全てを払い出す。
【００７７】
次いで、再プレイ機９０は、貯玉数減算処理を行なう（Ｓ３８）。
具体的には、再プレイ機９０は、「乗り入れ時引出単位数選択画面」において、遊技者から選択された引出単位数にもとづいて、乗り入れ元指定貸出単価に応じた引出貯玉数を算出するとともに、この引出貯玉数を乗り入れ元指定貸出単価に係る口座の貯玉数から減算する。そして、この減算後の残りの貯玉数を、記憶部９５に更新して記憶する。
次いで、再プレイ機９０は、図９に示す「乗り入れ時払出結果画面」を表示する（Ｓ３９）。具体的には、「乗り入れ時引出単位数選択画面」において遊技者から選択された引出単位数、この引出単位数を乗り入れ元指定貸出単価で換算した引出貯玉数、この引出貯玉数を乗り入れ元指定貸出単価に係る口座の貯玉数から減算して残った貯玉数等が表示される。
【００７８】
以上説明したように、本実施形態の遊技用システムＳ及び遊技媒体付与方法によれば、再プレイの乗り入れを行う際に、再プレイ機９０に予め設定されている乗り入れ先貸出単価と異なる乗り入れ元貸出単価に係る口座に記憶されている貯玉数を、乗り入れ先貸出単価で換算し、この換算後の貯玉数を貸出単価ごとの口座に記憶することなく、別の記憶領域に記憶する。これによって、一の口座内で異なる複数の貸出単価の貯玉数を二重に管理するようなことがなく、複雑な制御プログラムが不要となり、記憶容量を抑えることができる。
また、異なる貸出単価間において貯玉数を換算する際に、この貯玉数に一致又は近似するとともに、双方の貸出単価で割り切れる数値（引き出し可能貯玉数）を算出することで、換算時に端数が生じないため、遊技場及び遊技者が端数分の貯玉を損することがなくなる。
【００７９】
［第二実施形態］
次に、本発明の遊技用システム及び遊技媒体付与方法の第二実施形態について、図１２〜図１５を参照して説明する。
図１２に示すように、本実施形態の遊技用システムＳは、第一実施形態と比較すると、遊技機１００と一対一で対応して設けられる各台計数機１を備えるとともに、持ち玉管理装置１１０が遊技場内に配置されている点で相違する。
本実施形態では、第一実施形態における遊技媒体貸出機２０、計数装置７０及び再プレイ機９０の各機能を各台計数機１が備えており、この各台計数機１が、各台計数機１に併設された遊技機１００で獲得した遊技媒体を計数するとともに、計数した遊技媒体数（計数値）を遊技場に預け入れが可能であり、かつ、預け入れた貯玉を引き出し可能に構成されることにより、遊技機１００において再プレイすることができるようになっている。
なお、本実施形態において、第一実施形態と同様の構成部分については同一の符号を付して、その詳細な説明を省略する。
【００８０】
［各台計数機］
各台計数機１は、本発明における貯遊技媒体付与手段の一例として動作し、少なくとも、遊技機１００で獲得した遊技媒体を計数する計数機能と、計数により得た計数値を会員管理装置６０に送信して貯玉させる貯玉機能と、貯玉の範囲内において遊技者に遊技媒体を払い出す貯玉払出機能（再プレイ機能）と、計数値を持ち玉管理装置１１０に送信して記憶させる持ち玉機能と、各装置との間で所定の情報を送受信する通信機能と、所定の表示を行う表示機能等を備えた装置である。
【００８１】
具体的には、各台計数機１は、図１３及び図１４に示すように、計数部１０と台間部２０´とで構成されている。
計数部１０は、計数センサ１０ａ、レバー１１、受皿１２を備え、計数手段として動作し、例えば、遊技機１００の下皿（不図示）から投下される遊技媒体を受皿１２で貯留し、レバー１１を操作すると、受皿１２の底面を開閉するシャッター（不図示）が動作することで、受皿１２に貯留されている遊技媒体の貯留又は投下を選択することができる。そして、機内へ投下された遊技媒体は、例えば、計数センサ１０ａによって検出される。
台間部２０´は、所定の紙幣を投入する紙幣投入口２１、会員カードを挿入／返却可能な会員カード挿入口２２、液晶ディスプレイなどで構成され会員認証を行うための暗証番号の入力や所定の選択操作等の入力及び遊技に関する情報や貯玉に関する情報等を表示する台間表示器２３、遊技の終了時などに会員カード等を返却するための精算ボタン２４を外部に備える。
【００８２】
上記のような各機能を実現すべく、各台計数機１は、遊技機１００、会員管理装置６０又は持ち玉管理装置１１０等との間で所定の情報を送受信する通信部２５、各台計数機１が備える各種機能を実行するためのプログラムや所定のデータを記憶する記憶部２６、会員カード挿入口２２に挿入された会員カードから会員ＩＤを読み取る読取部２７、遊技媒体を払い出す払出部２８、ＣＰＵにより構成され各台計数機１が備える各種機能を制御する制御部２９を内部に備えており、制御部２９が、これら各部を制御することにより、以下のような特徴的な動作を行う。
【００８３】
各台計数機１は、台間表示器２３が本発明における引出要求受付手段及び表示手段として動作することで、第一実施形態において説明した再プレイに関する各画面を表示するとともに、再プレイの乗り入れの際に乗り入れ元口座の指定を遊技者から受け付ける。
具体的には、台間表示器２３は、図１５に示すように、第一実施形態と同様に遊技者による操作に応じて図１５（ａ）〜図１５（ｅ）を表示する。
なお、本実施形態では、図１５（ａ）が第一実施形態の図５と対応し、図１５（ｂ）が第一実施形態の図６と対応し、図１５（ｃ）が第一実施形態の図７と対応し、図１５（ｄ）が第一実施形態の図８と対応し、図１５（ｅ）が第一実施形態の図９と対応する画面である。
【００８４】
ここで、本実施形態では、図１５（ａ）に示す「再プレイ数選択画面」と図１５（ｄ）に示す「乗り入れ時引出単位数選択画面」が、第一実施形態と異なる表示がされるようになっている。
例えば、再プレイ数ボタンが非表示となっており、これは、各台計数機１が、再プレイによる一回の引き出し要求によって貯玉から引き出す遊技媒体数（引出単位数）を一定数（例えば、１２５玉）としているためである。
なお、これに限らず、第一実施形態と同様に再プレイ数ボタンを表示し、遊技者によって引出単位数を選択可能としてもよい。
【００８５】
持ち玉管理装置１１０は、少なくとも、各台計数機１で計数された計数値を遊技者ごとに管理する持ち玉管理機能と、各台計数機１との間で計数値などの持ち玉に関する情報を送受信する通信機能等を備えた装置である。
具体的には、持ち玉管理装置１１０は、遊技者により所定の終了操作（精算ボタン２４の操作など）がされることで、計数値と媒体ＩＤ（会員カードの会員ＩＤやＩＣコインのコインＩＤ等）を各台計数機１から受信し、この計数値と媒体ＩＤを、入力日（日付）ごとに記憶する。この場合、計数値は、貸出単価ごとに設けられた口座別に記憶される。
また、遊技者による引き出し要求に応じて、媒体ＩＤと関連付けされた計数値を、該当する各台計数機１に送信する。
なお、持ち玉管理装置１１０は、図２と同様の内部構成を備えている。
【００８６】
持ち玉管理装置１１０は、通常、各台計数機１から受信した計数値を、受信した当日に限り記憶するようになっている。
例えば、持ち玉管理装置１１０は、遊技場の営業時間終了後に、この当日分の持ち玉データ（計数値）をクリアする処理を行う。また、持ち玉管理装置１１０は、この当日分の持ち玉データ（計数値）をクリアする処理を行う際に、当日分の持ち玉データ（計数値）を、媒体ＩＤに関連付けて、会員管理装置６０に送信する。すなわち、翌日以降は、会員管理装置６０に貯玉として記憶するようになっている。
【００８７】
次に、本実施形態における、再プレイによる貯玉の払出処理（遊技媒体付与方法）について説明する。
本実施形態では、各台計数機１と会員管理装置６０との間で再プレイによる貯玉の払出処理が行なわれる。
第一実施形態における再プレイによる貯玉の払出処理と異なる点としては、上述したように、Ｓ１８の「再プレイ数選択画面」及びＳ３６の「乗り入れ時引出単位数選択画面」において、再プレイ数ボタンが非表示であり、引出単位数が一定数となる点を除いては、第一実施形態と同様の処理（Ｓ１０〜Ｓ２７）が行なわれる。
したがって、本実施形態においては、第一実施形態と同様の処理が行われるため、詳細な説明は省略する。
【００８８】
また、本実施形態では、各台計数機１と会員管理装置６０との間で、会員管理装置６０に記憶されている貯玉数にもとづいて、再プレイの乗り入れを行うとしたが、これに限らず、各台計数機１と持ち玉管理装置１１０との間で、持ち玉管理装置１１０に記憶されている持ち玉数（計数値）にもとづいて、再プレイの乗り入れを行うこともできる。これにより、非会員の遊技者でも再プレイの乗り入れを行うことができる。
【００８９】
以上説明したように、本実施形態の遊技用システムＳ及び遊技媒体付与方法によれば、第一実施形態の遊技用システムＳ及び遊技媒体付与方法とほぼ同様の効果を奏するとともに、各台計数機１を備えることにより、再プレイ機９０が設置されている遊技機島の島端まで移動することなく再プレイを行うことができ、さらに、持ち玉管理装置１１０を備えることにより、遊技者は貯玉に限らず、持ち玉から再プレイの乗り入れを行うこともできる。
【００９０】
［他の実施形態］
次に、本発明の遊技用システム及び遊技媒体付与方法の他の実施形態について説明する。
以下に示す他の実施形態では、遊技機１００を、図示しない封入式遊技機（封入式パチンコ機、封入式スロットマシン）とした点が、第一実施形態及び第二実施形態と異なる。
なお、本実施形態において、第一実施形態及び第二実施形態と同様の構成部分については同一の符号を付して、その詳細な説明を省略する。
【００９１】
例えば、封入式遊技機のうち封入式パチンコ機は、一定数の遊技球を遊技機内に封入して内部循環式としたパチンコ機である。つまり、遊技機内で遊技球が封入されているため、パチンコ機１００ａのような上皿、下皿は不要となり、外部からの遊技球の入球や遊技者に遊技球の払い出しがされないようになっている。その結果、封入式パチンコ機においては、「電子遊技媒体」として遊技者に遊技媒体が付与されるようになっている。
【００９２】
封入式遊技機の前面には、例えば液晶タッチパネルからなるデータ表示器が設けられている。
データ表示器は、本発明における表示手段の一例として動作し、上述した実施形態における再プレイ機９０のタッチパネル部９３や各台計数機１の台間表示器２３と同様の機能を有する。
すなわち、データ表示器は、上述した再プレイに関する各画面を遊技者に対して表示するとともに、遊技者から選択操作を受け付ける。
【００９３】
このような封入式遊技機を設ける場合には、例えば、双方向に通信可能に接続されるカードユニットが封入式遊技機に併設される。
このカードユニットは、本発明における貯遊技媒体付与手段の一例として動作し、第一実施形態における再プレイ機９０及び第二実施形態における各台計数機１の各機能を備えており、少なくとも、封入式遊技機との間で遊技データ（例えば、アウト数，セーフ数，大当り回数，スタート回数等）やデータ表示器での操作に応じた操作信号や現金，プリペイドカード又は会員カードの投入に応じて遊技者に貸し出す電子遊技媒体数等を送受信するとともに、会員管理装置６０との間で貯玉に関する情報（貯玉数，換算後貯玉数等）を送受信する通信機能と、
貯玉の範囲内において遊技者に電子遊技媒体を付与する貯玉付与機能（再プレイ機能）等を備えた装置である。
【００９４】
以上説明したように、本実施形態の遊技用システムＳ及び遊技媒体付与方法によれば、遊技機１００を封入式遊技機とした場合においても、第一実施形態及び第二実施形態と同様の効果を得ることができる。さらに、遊技機１００を封入式遊技機としたことにより、遊技媒体の投入や払い出しが行われないので、遊技場側で、遊技媒体の貸し出し、払い出し、回収の管理を正確に行うことができる。
【００９５】
また、以上説明したように、本実施形態の遊技用システムＳ及び遊技媒体付与方法によれば、再プレイの乗り入れを行う際に、遊技媒体付与手段（再プレイ機９０、各台計数機１）において、遊技媒体の払い出しが予め許容されていない乗り入れ元貸出単価の口座に記憶されている貯玉数を、乗り入れ先貸出単価で換算したときの、換算後の貯玉数を貸出単価ごとの口座に記憶することなく、別の記憶領域に記憶するため、一の口座内で異なる複数の貸出単価の貯玉数を二重に管理することなく、複雑な制御プログラムが不要となり、記憶容量を抑えることができる。
また、異なる貸出単価間において貯玉数を換算する際に、この貯玉数に一致又は近似する乗り入れ先貸出単価と乗り入れ元指定貸出単価との公倍数（引き出し可能な貯玉数）を算出することで、換算後の貯玉数に端数が生じないため、遊技場及び遊技者が端数分の貯玉を損することがなくなる。
例えば、上述した特許文献１に記載の技術では、以下のような問題があった。
再プレイの乗り入れを行う際に、遊技媒体払出装置に予め設定された一の貸出単価と異なる他の貸出単価に係る口座に記憶された貯遊技媒体数を、一の貸出単価の数量に換算し、この換算後の貯遊技媒体数を、他の貸出単価に係る口座内に更新して記憶するとともに、換算時に割り切れなかった余り分の貯遊技媒体数も、そのまま他の貸出単価に係る口座内に記憶するという、一の口座内で２種類の貸出単価が混在する二重管理を行うようになっている。
例えば、遊技者が、遊技場に貸出単価（２円／玉）に係る口座（２円口座）に１００１玉を預け入れてある場合、４円コーナーに設置された遊技媒体払出装置において、乗り入れ元となる２円口座から乗り入れ先となる４円口座へ乗り入れを行う際に、乗り入れ元の２円口座の１００１玉を、乗り入れ先の４円／玉で換算したときの、換算後の貯遊技媒体数（１００１玉×（２円÷４円）≒５００玉）を、２円口座内に更新して記憶するとともに、換算時に割り切れなかった余り分の貯遊技媒体数（余り１玉）も、そのまま２円口座内に記憶するようになっている。
すなわち、再プレイの乗り入れを行う際に、一の口座（２円口座）内に、一の貸出単価（４円／玉）の貯遊技媒体数と、他の貸出単価（２円／玉）の余り分の貯遊技媒体数が、混在して記憶されることになる。
これにより、一の口座内で、異なる複数の貸出単価の貯遊技媒体を二重に管理することになるため、貯遊技媒体を管理するための制御プログラムが複雑になるとともに、一の口座内で複数の貸出単価の貯遊技媒体数を格納するための記憶領域が必要となる問題があった。
これに対して、本発明は、再プレイの乗り入れを行う際に、遊技媒体付与手段で遊技媒体の払い出しが許容される一の貸出単価と異なる他の貸出単価に係る口座の貯遊技媒体数を、一の貸出単価の数量に換算し、換算後の貯遊技媒体数を、貸出単価ごとに設けられた口座と別の記憶手段に記憶するため、一の口座内で異なる複数の貸出単価の貯遊技媒体数を管理することがなく、複雑な制御プログラムが不要となり、記憶容量を抑えることができる。
【００９６】
また、再プレイの乗り入れを行った際に、実際に払い出される遊技媒体数と、乗り入れ元の貯玉の使用数と、乗り入れ元の貯玉の残数を同時に表示することによって、遊技者は、再プレイの乗り入れによる貯玉の払い出しの状況を一目で認識できる。
また、遊技場で現在遊技に使用できない貸出単価が存在し、この使用できない貸出単価に係る口座に遊技者が貯玉を持つ場合には、この口座に関する表示態様を、遊技に使用できる他の貸出単価に係る口座に関する表示態様と異なるように表示することによって、遊技者に、使用できない貸出単価に係る口座の貯玉を、再プレイの乗り入れによって優先して使用させることを促すことができる。
【００９７】
以上、本発明の遊技用システム及び遊技媒体付与方法の好ましい実施形態について説明したが、本発明に係る遊技用システム及び遊技媒体付与方法は上述した実施形態にのみ限定されるものではなく、本発明の範囲で種々の変更実施が可能であることはいうまでもない。
例えば、上述した実施形態では、会員管理装置６０に貯遊技媒体数換算手段を備えるように説明したが、貯遊技媒体数換算手段を、遊技媒体付与手段（再プレイ機９０又は各台計数機１等）に備えてもよい。この場合、遊技媒体付与手段（再プレイ機９０又は各台計数機１等）は、会員管理装置６０の記憶部６２から貯玉数のみを受信し、受信した貯玉数にもとづいて貯玉数換算処理を行なってもよい。
【００９８】
また、上述した実施形態では、遊技媒体付与手段（再プレイ機９０又は各台計数機１）が貯玉数減算処理を行うように説明したが、これに限らず、会員管理装置６０が行ってもよい。この場合、会員管理装置６０は、遊技者による再プレイの引き出し操作ごとに、遊技媒体付与手段から引出単位数を受信し、受信した引出単位数にもとづいて貯玉数減算処理を行なってもよい。
【００９９】
また、上述した実施形態では、会員管理装置６０を本発明における管理手段の一例として説明したが、これに限定されるものではなく、遊技場管理装置５０、景品交換装置８０又は持ち玉管理装置１１０を管理手段として動作させてもよく、あるいは、台管理装置３０と島管理装置４０を管理手段として動作させてもよい。この場合、会員管理装置６０が備える各種手段（貯遊技媒体数換算手段、貯遊技媒体数記憶手段、換算後貯遊技媒体数記憶手段等）を、各装置が備えることで、動作させてもよい。
【０１００】
また、本実施形態では、会員管理装置６０において管理される貯玉としては、遊技者が前日以前に預け入れた遊技媒体を想定しているが、遊技者が当日に預け入れた遊技媒体も貯玉として管理することもできる。すなわち、貯玉には、前日以前に預け入れた遊技媒体のみならず、当日に預け入れた遊技媒体も含めることもできる。これにより、前日以前の貯玉数と当日分の貯玉数とを合算した貯玉数に応じて、再プレイの乗り入れを行うことができる。
また、当日分の貯玉を持ち玉管理装置１１０に管理させるとともにこの貯玉数（計数値）と、会員管理装置６０において管理される前日以前の貯玉数との合算値に基づいて再プレイの乗り入れを行うこともできる。
【符号の説明】
【０１０１】
Ｓ    遊技用システム
１    各台計数機（遊技媒体付与手段）
２３  台間表示器（表示手段、引出要求受付手段）
６０  会員管理装置（管理手段）
６６  演算部（貯遊技媒体換算手段）
９０  再プレイ機（遊技媒体付与手段）
９３  タッチパネル部（表示手段、引出要求受付手段）
９９  演算部（引出遊技媒体数減算手段）
１００  遊技機
【図１】
2018192347.tif 000003
【図２】
2018192347.tif 000004
【図３】
2018192347.tif 000005
【図４】
2018192347.tif 000006
【図５】
2018192347.tif 000007
【図６】
2018192347.tif 000008
【図７】
2018192347.tif 000009
【図８】
2018192347.tif 000010
【図９】
2018192347.tif 000011
【図１０】
2018192347.tif 000012
【図１１】
2018192347.tif 000013
【図１２】
2018192347.tif 000014
【図１３】
2018192347.tif 000015
【図１４】
2018192347.tif 000016
【図１５】
2018192347.tif 000017